(57)【特許請求の範囲】
【請求項１】
原稿を読み取るためのプラテンと、該プラテンの一端側に設けられた読取位置に原稿を搬送する原稿搬送手段と、該原稿搬送手段により搬送された原稿を前記読取位置に静止して読み取るとともに前記プラテン上に載置された原稿を前記プラテンの一端側と他端側との間を移動して読み取る読取キャリッジを有する読取手段と、を備えた画像読取装置において、
前記読取手段を収納する第１の収納部と、
該第１の収納部の下方であって且つ前記プラテンの一端側に設けられた第２の収納部と、
前記第１の収納部と第２の収納部とを収容するハウジングと、を有し、
前記第２の収納部内に前記読取手段を制御する制御手段を配置すると共に、前記原稿搬送手段を前記第２の収納部の上方であって且つ前記プラテンの一端側に設けたことを特徴とする画像読取装置。
【請求項２】
前記読取キャリッジは、前記プラテンを透過して原稿面に光を照射する光源手段及び原稿からの光を反射する第１の反射手段を有する第１のキャリッジと、該第１のキャリッジと連動して前記第１の反射手段からの光を反射する第２の反射手段を有する第２のキャリッジと、からなることを特徴とする請求項１に記載の画像読取装置。
【請求項３】
前記プラテンの他端側において前記第１の収納部から下方に突出する脚部を設けたことを特徴とする請求項１に記載の画像読取装置。
【請求項４】
前記原稿搬送手段により搬送される原稿を前記読取位置に静止して読み取る読取位置を前記第２の収納部の上方に設けたことを特徴とする請求項１に記載の画像読取装置。
【請求項５】
前記第１の収納部と前記第２の収納部の内部を冷却するための冷却装置を該第２の収納部内に配置したことを特徴とする請求項１または請求項４に記載の画像読取装置。
【請求項６】
前記ハウジングは、前記第１の収納部と前記第２の収納部とを区分けする仕切り部材を有することを特徴とする請求項１に記載の画像読取装置。
【請求項７】
前記プラテンは、前記読取キャリッジを静止させて前記原稿搬送手段で搬送される原稿を読み取るための第１のプラテンガラスと、前記読取キャリッジを移動させて載置された原稿を読み取るための第２のプラテンガラスと、を有することを特徴とする請求項１に記載の画像読取装置。
【請求項８】
シート上に画像を形成するための画像形成部と、
前記画像形成部の上方に配置され、原稿を読み取るためのプラテン並びに該プラテン上を移動する原稿を静止して読み取るとともに前記プラテン上に載置された原稿を前記プラテンの一端側と他端側との間を移動して読み取る読取手段が設けられた画像読取部と、
前記画像読取部の上方に配置されて前記プラテン上に原稿を搬送する原稿搬送手段を有する原稿搬送部と、
前記画像形成部と前記画像読取部との間に設けられ、画像形成されたシートを収納するシート排紙トレイと、
前記画像形成部に設けられ、前記画像読取部側に出突して画像読取部を支持すると共に前記シート排紙トレイにシートを排紙するためのシート排紙部と、
前記画像読取部は、前記読取手段を収納する第１の収納部と、該第１の収納部の下方であって且つ前記プラテンの一端側に設けられると共に前記画像形成部の前記シート収納部に支持される第２の収納部と、で構成され、
前記原稿搬送部の前記原稿搬送手段は、前記第２の収納部の上方であって且つ前記プラテンの一端側に配置された、ことを特徴とする画像処理装置。
【請求項９】
前記画像形成部の上面に設けられ、該画像形成部から排出されたシートを収納する収納トレイと、
前記画像読取部の上方に設けられて前記画像搬送部で搬送された原稿を収納する排紙トレイと、を備え、
前記原稿搬送部から前記排紙トレイへの原稿の排紙方向と、前記画像形成装置の前記収納トレイへのシートの排紙方向とを同一にしたことを特徴とする請求項８に記載の画像処理装置。
【請求項１０】
前記プラテンは、前記読取キャリッジを静止させて前記原稿搬送手段で搬送される原稿を読み取るための第１のプラテンガラスと、前記読取キャリッジを移動させて載置された原稿を読み取るための第２のプラテンガラスと、を有することを特徴とする請求項８に記載の画像読取装置。
【発明の詳細な説明】
【０００１】
【発明の属する技術分野】
本発明は、原稿面を光学的にスキャニングして読み取るための光学読取装置、及び光学読取装置を搭載して電子式複写機能及び外部から印字データを受信して印字機能等を具備する画像形成装置を備えた画像処理装置に関する。
【０００２】
【従来の技術】
近年の電子技術及び光学技術の急速な進展に伴って、光学読取装置、画像形成装置及び複写装置の高品質化、多機能化及び小型化が図られてきた。
【０００３】
光学読取装置において、原稿面を光学的に精緻に読み取るためにスキャニング・ピッチはより細分化され、光学読み取り信号を電気信号に変換するための光電変換手段であるＣＣＤセンサはより多くの画素数を持つ高解像度仕様のものが用いられるに至っている。また、このような光学読取装置を搭載する画像形成装置は、複写機能のみならず、ファクシミリ機能及び外部のパーソナルコンピュータ等のデータ処理装置から印字データを受信してこれを印字するプリンタ機能を併せ持つようになった。さらに、光学読取装置によって取得したイメージ・データをパーソナルコンピュータ等のデータ処理装置に送出する機能も必要とされるに至っている。このように一台の画像形成装置に、これら複数の機能を併有させることによって、事務作業スペースの合理化及び効率化が達成されてきた。
【０００４】
図９は、このような複数の機能を有する画像形成装置２１０の外観の第１の従来技術の例を示すものである。図９に示された従来の画像形成装置２１０は、複数サイズのシートをそれぞれ別個に収納するためのシート収納部２１１，２１２，２１３をハウジング内の下方に収納することにより、設置床スペースを小さくするものではあるが、画像形成後の排出された画像形成シートを集積する排紙トレイ２１４，２１５が画像形成装置の側面外側（図右側）に突き出しているために、装置の設置に必要な実質的設置床スペースは装置側面外側に突き出ている排紙トレイ２１４，２１５を含めたものとなってしまう。
【０００５】
図１０は、上記の課題を解決するために、排紙トレイ２１６を、上部の光学読取装置のハウジング２１７の下であって、画像形成部を収納するハウジング２１８上部の間に配置した第２の従来技術の例を示す。この画像形成装置２１０は、画像形成されたシートを集積する排紙トレイ２１６が画像形成装置２１０の側面外側に突き出ることなくハウジングのサイズ内に収まっているため、実質的な設置床スペースが大幅に縮小されている。
【０００６】
図１１は、図１０に示した光学読取装置の横断面図を示す。この光学読取装置は、シャーシ１６１上に取り付けられたプラテンガラス１６２に原稿を載置して第１キャリッジ１６３と第２キャリッジ１６７で共同して原稿上のイメージをＣＣＤ等のイメージセンサ１２上に投影するものである。
【０００７】
プラテンガラス１６２に載置された原稿は第１キャリッジ１６３に配置された光源１６４によって照射される。原稿からの反射光は第１キャリッジ１６３の開口部１６５を経て第１ミラー１６６により副走査方向に光路変更される。光路変更された原稿上のイメージは第２キャリッジ１６７の第２ミラー１６８で下方に変更され、第３ミラー１６９によってレンズ１７１の方向に変更される。レンズ１７１で集光されたイメージはアングル１７４でシャーシ１に止められたＣＣＤ基板１７３のＣＣＤ１７２に照射される。
【０００８】
ＣＣＤ１７２で電気信号に変換されたイメージは、ＣＣＤ基板１７３と当該光学読取装置のハウジング内に配置される制御基板（図示せず）上の画像処理回路によって処理される。レンズ１１、ＣＣＤ基板１７４と制御基板は、光源１６４から不必要に拡散された光が入射しないように、遮蔽板１７０で覆われている。原稿面から３枚のミラー１６６，１６８，１６９を辿ってレンズ１７１に至るまでの光路の長さが常に一定となるよう、第１キャリッジ１６３は第２キャリッジ１６７の倍のスピードＶで副走査される。
【０００９】
ここで、第１キャリッジ１６３と第２キャリッジ１６７は各々異なった面のガイドレールで支えられている（図示せず）。また、第１キャリッジ１６３と第２キャリッジ１６７は原稿の走査初期位置を図のプラテンガラス１６２右方向端に位置し、第１キャリッジ１６３は副走査終端付近では、遮蔽板１７０の上方をスキャンするので遮蔽板１７０までの厚みと第１キャリッジ１６３の厚みとの合計以上は必ず必要であって、光学読取装置のハウジング厚は、これによって制約されている。さらには、前記した制御基板を収納するためのスペースも該ハウジング内に確保されなければならない。
【００１０】
【発明が解決しようとする課題】
このように、画像形成装置のハウジング内の下部には各種シートサイズ用のシートトレイが複数積み重ねられた状態で収納され、当該ハウジングの上部には上記の排紙トレイが配置され、また、当該排紙トレイの上方には排紙トレイ上のシートを取り出す手作業のための空間スペースを必要とするため、画像形成装置のハウジングは必然的に高いサイズになり、その上方に設置される光学読取装置はかなり高い位置に配置されざるを得なかった。さらには、光学読取装置のまたその上部には、トレイ上に積み重ねられた複数枚の原稿を一枚づつ取り出して光学読取装置に送り出すための自動原稿送り装置（ＡＤＦ）が併用される場合が多く、画像形成シートの取り出し操作性の改善を図ると共に、このような多機能型画像形成装置の厚み方向のサイズを極力小さくする必要性があった。
【００１１】
【課題を解決するための手段】
斯かる従来技術の課題に鑑みて、本発明は、原稿を読み取るためのプラテンと、該プラテンの一端側に設けられた読取位置に原稿を搬送する原稿搬送手段と、該原稿搬送手段により搬送された原稿を前記読取位置に静止して読み取るとともに前記プラテン上に載置された原稿を前記プラテンの一端側と他端側との間を移動して読み取る読取キャリッジを有する読取手段と、を備えた画像読取装置において、前記読取手段を収納する第１の収納部と、該第１の収納部の下方であって且つ前記プラテンの一端側に設けられた第２の収納部と、前記第１の収納部と第２の収納部とを収容するハウジングと、を有し、前記第２の収納部内に前記読取手段を制御する制御手段を配置すると共に、前記原稿搬送手段を前記第２の収納部の上方であって且つ前記プラテンの一端側に設けたことを特徴とする画像読取装置を提供するものである。これにより、第１の収納部の高さ方向のサイズ（厚さ）を薄くすることにより、本画像読取装置の下側に配置される画像形成装置の上面に十分な用紙収納スペース（画像形成後の用紙）を確保することを可能にしたのである。
【００１２】
ここで、前記読取キャリッジは、前記プラテンを透過して原稿面に光を照射する光源手段及び原稿からの光を反射する第１の反射手段を有する第１のキャリッジと、該第１のキャリッジと連動して前記第１の反射手段からの光を反射する第２の反射手段を有する第２のキャリッジと、からなり、前記プラテンの他端側において前記第１の収納部から下方に突出する脚部を設けたことを特徴とする。
さらに、前記原稿搬送手段により搬送される原稿を前記読取位置に静止して読み取る読取位置を前記第２の収納部の上方に設けたのである。
【００１３】
また、記第１の収納部と前記第２の収納部の内部を冷却するための冷却装置を該第２の収納部内に配置するようにしてもよく、前記ハウジングは、前記第１の収納部と前記第２の収納部とを区分けする仕切り部材を有するのである。
さらに、本画像読取装置のプラテンは、前記読取キャリッジを静止させて前記原稿搬送手段で搬送される原稿を読み取るための第１のプラテンガラスと、前記読取キャリッジを移動させて載置された原稿を読み取るための第２のプラテンガラスと、を有することにより、静止原稿の画像読み取りとシートスルー原稿の画像読み取りの２つの画像読取方式を可能にしているのである。
【００１４】
本発明は、さらに、シート上に画像を形成するための画像形成部と、前記画像形成部の上方に配置され、原稿を読み取るためのプラテン並びに該プラテン上を移動する原稿を静止して読み取るとともに前記プラテン上に載置された原稿を前記プラテンの一端側と他端側との間を移動して読み取る読取手段が設けられた画像読取部と、前記画像読取部の上方に配置されて前記プラテン上に原稿を搬送する原稿搬送手段を有する原稿搬送部と、前記画像形成部と前記画像読取部との間に設けられ、画像形成されたシートを収納するシート排紙トレイと、前記画像形成部に設けられ、前記画像読取部側に出突して画像読取部を支持すると共に前記シート排紙トレイにシートを排紙するためのシート排紙部と、前記画像読取部は、前記読取手段を収納する第１の収納部と、該第１の収納部の下方であって且つ前記プラテンの一端側に設けられると共に前記画像形成部の前記シート収納部に支持される第２の収納部と、で構成され、前記原稿搬送部の前記原稿搬送手段は、前記第２の収納部の上方であって且つ前記プラテンの一端側に配置された、ことを特徴とする画像処理装置を提供するものである。これにより、前記画像形成部と前記画像読取部との間に形成される画像形成シート用収納スペースを大きくすると共に、排紙シートを取り出し易くしたのである。
【００１５】
ここで、前記画像形成部の上面に設けられ、該画像形成部から排出されたシートを収納する収納トレイと、前記画像読取部の上方に設けられて前記画像搬送部で搬送された原稿を収納する排紙トレイと、を備え、前記原稿搬送部から前記排紙トレイへの原稿の排紙方向と、前記画像形成装置の前記収納トレイへのシートの排紙方向とを同一にしたのである。
【００１８】
【本発明の実施の形態】
以下、本発明の実施の形態を図面に基づいて説明する。図１は、本発明の実施の形態に係る光学読取装置３及び画像形成装置１を備えた画像処理装置１００の正面図である。
【００１９】
画像処理装置１００は、複写機の機能とファクシミリの機能とを併せ持つデジタル複写機である。読み取った原稿の画像情報（光信号）を電気信号に変換して作像する。画像処理装置本体１０１と、画像処理装置本体１０１の下部にオプションとして装着された給紙テーブル１０３と、画像処理装置本体１０１の上面に同じくオプションとして装着された自動原稿搬送装置（ＡＤＦ）１０２とで構成される。
【００２０】
作像する画像処理装置本体１０１は、画像形成装置（作像部）１と給紙部２と光学読取装置（スキャナ部）３とが、上下方向に積み重なっている。中央部に画像形成装置１が配置され、画像形成装置１の下に給紙部２が位置し、画像形成装置１の上に光学読取装置３が配置されている。
【００２１】
図２は、画像処理装置本体１０１の断面図である。中央部の画像形成装置１は、形成装置本体ハウジング１５を有し、一端側（図２に向かって右側）にヒンジ４１ａを介して開閉自在の天板を設けてこれを排紙トレイ４１（上端板）とし、排紙トレイ４１の他端側（図２の左側）を上に向けて開けば形成装置本体ハウジング１５内部を容易に保守・点検できるようにしている。
【００２２】
画像形成装置１の形成装置本体ハウジング１５の中には感光体ドラム５を設け、感光体ドラム５周囲には、ドラム表面に帯電処理を行う帯電チャージャ６、画像情報をドラム上にレーザ光で照射する露光装置７、ドラム上の静電潜像を可視像化する現像装置８、ドラム上のトナー像をシートに転写する転写ローラ９、ドラム上の残留トナーを除去回収するクリーニング装置１０等が配置されている。更に、画像転写後のシートに対して定着処理を施す定着装置１１が、それら電子写真プロセス手段のシート搬送下流側に設けられている。
【００２３】
画像形成装置１には、形成装置本体ハウジング１５の一端側に回動自在の手差しトレイ１６が設けられている。また給紙部２には上下２段の引き出しが設けてある。各引き出しには給紙カセット２１を設けている。各引き出しの給紙カセット２１には、異なるサイズの、あるいは載置向きの異なるシートを収容している。給紙カセット２１には上方向に弾性付勢された底板２２を有し、底板２２の上方には給紙ローラ２３を設けている。カセット２１の一端側付近には、レジストローラ２４を設けてある。底板２２はシート先端を持ち上げ、給紙ローラ２３がシートをカセット２１から引き出し、シートがレジストローラ２４へ引き渡される。給紙部２は、必要に応じてカセット数を増減することも可能である。
【００２４】
画像形成装置１の一端側と他端側には支柱壁６１，６２を設け、その上に光学読取装置３の底部あるいは脚壁１３４（脚部）を搭載する。そして他端側支柱壁６１内に送りローラ５２、排紙ローラ５３を設けた排出部４０を構成している。光学読取装置３の脚壁１３４は、読取装置本体ハウジング１２４の下面から突き出ている。これによって、光学読取装置３の下部と画像形成装置１との間に空間１２８が形成され、画像形成装置１の排紙トレイ４１の上を排紙部４０としている。ここで、読取装置本体ハウジング１２４は、排紙トレイ４１の開閉先端の開閉軌道を避け、ホームポジション側底部を部分的に下方に膨出し、その膨出部を第２の収容部１２５としている。
【００２５】
図３は、光学読取装置３のプラテン３１より下の構造を示す平面図、図４は光学読取装置３の断面図である。光学読取装置３の第１の収容部１２７は、図３及び図４のようにプラテン３１，３２を支持した読取装置本体ハウジング１２４を有している。読取装置本体ハウジング１２４の中には、走行キャリッジ１２６の主走査方向の一方側に設けられた穴に挿入され、走行キャリッジ１２６を支持するガイドシャフト１４０と、走行キャリッジ１２６の主走査方向の他方側を支持するガイドレール１４１と、パルスモータ１４２と、プーリ１４３と、タイミングベルト１４４と、プーリ１４５と、プーリ１４６，１４７と、走行キャリッジ１２６の結合部１４９に結合されたタイミングベルト１４８とを備えている。
【００２６】
走行キャリッジ１２６には光源１２９及び反射板１５０、遮光板１５１、受光開口１５２を有する照射部１５３と、光源１２９により光を照射された原稿からの反射光を反射するミラー１３０と、このミラー１３０からの反射光をプラテン３１に沿った方向に反射するミラー１３１と、ミラー１３１からの反射光を集光するレンズを有するレンズユニット１３２と、レンズユニット１３２の前に設けられたシェーディング板部１５４と、レンズユニット１３２からの光を受光するイメージセンサ１３３と、イメージセンサ１３３が取り付けられた基板１５５とを備えている。
【００２７】
そして、第２ミラー１３１とレンズユニット１３２との間隔を照射部１５３及び第１のミラー１３０の光軸方向の長さＬ１，Ｌ２よりも広くすると共に、照射部１５３とミラー１３０は、ミラー１３１とレンズユニット１３２との間に有効光を遮光しない範囲で進入して設けられている。即ち、照射部１５３はその光軸側最下端１５３ａがレンズユニット１３２の上面１３２ａよりも下方で、レンズユニット１３２の有効受光領域Ｒより上になるように取り付けられている。一方、第１のミラー１３０は、その上端１３０ａがレンズユニット１３２の下面１３２ｂよりも上方で、レンズユニット１３２の有効受光領域Ｒよりも下になるように取り付けられている。
【００２８】
走行キャリッジ１２６のホームポジションは、プラテンガラス３１と３２との間のシェーディング補正を行うための白基準板Ｈを読み取る位置の近傍に設置されている。これにより排出部４０と収容部１２５とキャリッジ１２６のホームポジションを同一側に位置していることになる。プラテンガラス３１上に載置された原稿を読み取る場合には、キャリッジ１２６をホームポジションから図２の右側方向に移動させながら画像を読み取る。また、自動原稿搬送装置１０２により原稿を搬送して読み取る場合は、キャリッジ１２６をホームポジションから図２の位置に移動させて停止した状態で移動する原稿を読み取る。
【００２９】
照射部１５３は光源１２９を原稿と第１のミラー１３０との間の光路（受光開口１５２）より第２のミラー１３１側に備えている。光源手段を駆動制御し、または光電変換手段からの電気信号を処理する制御回路基板１２１は、光電変換手段の下方に配置している。
【００３０】
図４のように照射部１５３の受光開口１５２からレンズユニット１３２側は遮光部材１５１のみとし、照射部１５３をレンズユニット１３２に近づけて配置している。第２のミラー１３１もレンズユニット１３２に近づけて配置し、走行キャリッジ１２６の長さを短くし、光学読取装置３全体をコンパクト化している。第２の収容部１２５には、制御回路基板１２１、電源装置１２２、ファン１２３等の冷却装置を設けている。
【００３１】
尚、第１の収容部１２７、第２の収容部１２５は、不要な漏洩光の侵入を防止すると共に、電磁波障害を防止するためのシールド手段を具備する。そして、光学読取装置３で読み込まれた画像信号は、デジタル化されて画像処理される。画像処理された信号に基づいて、露光装置７のレーザーダイオード（ＬＤ、図示せず）を駆動し、当該ＬＤからのレーザー光をポリゴンミラーで反射した後、ミラーを介して、画像形成装置１の感光体ドラム５上に照射して、当該ドラム上に静電潜像を形成する。静電潜像を形成したシートは定着装置１１を通過し、複数の搬送ローラ５１，５２を介して排紙トレイ４１に排出される。
【００３２】
光学読取装置３は、プラテン３１，３２上に画像処理装置１００のオプションとして自動原稿搬送装置１０２を設けている。原稿搬送装置１０２は読取装置本体ハウジング１２４に対して装置操作手前側に相対する奥側側辺（光学読取装置３の背面側）において、前記プラテンガラス面を開閉するようにヒンジで取付けられている。原稿搬送装置１０２は、原稿の給紙方向を図２の右側から左側方向に向かうものとし、原稿トレイ８１とピックアッププローラ８２と、給紙ローラ８３と、分離ローラ８４と、レジストローラ８５と、搬送ローラ８６と、排紙ローラ８７とを備え、左側から右側に排出方向をもつ排紙ローラ５３、排紙トレイ８８を備えている。
【００３３】
画像形成装置１の上面には、排紙トレイ４１が配置される。そして、当該排紙トレイ４１を構成する天板は開閉自在になっている。光学読取装置の本体ハウジング１２４の底面部には膨出収容部（第２の収容部１２５）を設けることで、制御回路基板１２１や電源装置１２２などの位置を片寄せ、読取装置本体ハウジング全体の厚みを実質的に縮めている。これにより、原稿セット面（プラテン３１，３２）の作業位置を高くすることなく、排紙トレイ４１を開いて画像形成装置１の内部を容易に点検できるようにしている。
【００３４】
画像形成装置１に取り付けられて使用される光学読取装置３は、通常は光学読取装置専用の電源を設ける必要はなく、画像形成装置１の電源から電力供給を受ける場合が多い。しかし、この実施例の光学読取装置３は画像読み取りだけを行うスキャナとして使用される場合と、画像形成装置１と結合して画像処理装置として使用される場合とがあり、どちらでも対応できるように光学読取装置３には電源装置１２２が搭載されている。
【００３５】
また、スキャナ単体として使用する際に光学読取装置３がテーブル等に安定して支持されるように脚壁１３４が設けられ、第２の収容部１２５と脚壁１３４でプラテンガラス３１，３２を水平に支持できるようにしている。
【００３６】
光学読取装置３に設けられた電源装置１２２は熱を発する。イメージセンサ１３３と電源装置１２２は仕切り部材１２０を設けて区分けしているので、イメージセンサ１３３の温度上昇を抑止する。第２の収容部１２５にはファン１２３を設け、内部温度を積極的に放熱するようにしてもよい。
【００３７】
図５は、第１の実施例で用いる光学読取装置３の収容部の概念を示す。一端側より他端側にまで及ぶ幅広の領域を走行キャリッジ１２６が走行する薄いハウジングを第１の収容部１２７とし、その下面の一部の他端側に、別体の第２の収容部１２５を接合している。画像形成装置１の排紙方向は、第２の収容部１２５を避けて矢印が示すように、走行キャリッジ１２６の走行方向と直交する方向とするとよい。
【００３８】
図６は、第２の実施例で用いる光学読取装置３の収容部の概念を示す。図６で示すように、第２の実施例の場合、厚みが厚い部分を第２の収容部１２５として角筒体のハウジングケース体で形成してある。厚みが薄い側は、内部に走行キャリッジ１２６を内蔵させ、第１の収容部１２７とする。第１の収容部１２７で走行キャリッジ１２６の走行方向と平行となる側面に第２の収容部１２５を接合している。ここで、画像形成装置１の排紙方向は、矢印が示すように、第２の収容部１２５のある側の方から持ち上がってくるようにして第２の収容部１２５を避けてもよい。
【００３９】
図７は、第３の実施例で用いる光学読取装置３の収容部の概念を示す。本第３の実施例の場合、厚みが厚い部分を第２の収容部１２５とし、両端面がかぎの手状の多角筒体のハウジングケース体で形成している。厚みが薄い部分は第１の収容部１２７とし、走行キャリッジ１２６が走行する薄いハウジングケース体で形成している。第１の収容部１２７で走行キャリッジ１２６の走行方向と平行な側面とその下面との角部に、第２の収容部１２５の窪み角を接合している。画像形成装置１の排紙方向は、第２の収容部１２５を避けて矢印が示すように、走行キャリッジ１２６の走行方向と同じ方向とするとよい。
【００４０】
図２、図５、図６又は図７に示したように、キャリッジ１２６の移動する方向は、図面に向かって前後方向でも左右方向でもよい。また、画像形成装置１で画像が複写されたシートの排出方向は、キャリッジ１２６が移動する方向と同一方向でも直交する方向でもよい。
【００４１】
図８は、本発明の第４の実施例を示す。この実施例の光学読取装置３は、プラテンガラス３１，３２を透過して原稿面に光を照射する光源２０５及び原稿からの光を反射する第１の反射手段としてのミラー２０６を有する第１のキャリッジ２０１と、この第１のキャリッジ２０１と連動してミラー２０６からの光を反射する第２の反射手段としてのミラー２０７，２０８を有する第２のキャリッジ２０２と、ミラー２０８からの反射光を集光するレンズ２０３と、レンズ２０３からの光を受光してこれを電気信号に変換する光電変換手段２０４と、第１及び第２のキャリッジ２０１，２０２をホームポジションを通って往復走行させる駆動手段（図示せず）とを備えている。
【００４２】
また、この実施例の画像形成装置１は、排紙トレイ４１の開閉方向を第１の実施例と異ならせている。ここでは、ヒンジ４１ａは排出部４０側にあり、このヒンジ４１ａを介して開閉自在の天板を設けてこれを排紙トレイ４１としている。そして、読取装置本体ハウジングは下面に切り欠き部６８を有し、排紙トレイ４１の全開時、その開閉先端を受け入れ自在として排紙トレイ４１の全開時の空間を広くとっている。
【００４３】
第１の収容部１２７と第２の収納部１２５との間は仕切り部材１８３が設けられ、第１の収容部１２７側にも第２のファン１８４が設けられている。光学読取装置３の脚壁１３４の代わりに支柱６２を高くしている。ここで、排紙トレイ４１となる天板は軸４１ａを中心に回動するタイプだけでなく、上下に平行移動するタイプや着脱可能なものでも良い。
【００４４】
以上詳しく説明したように、本発明に係る光学読取装置は、上部において前記プラテンガラスを支持し、内部においてホームポジションを通って往復走行するキャリッジを収容したハウジングとを備えた光学読取装置において、前記ハウジングの前記ホームポジション側下面において下方に突出する収容部を設け、当該収容部内に前記光電変換素子からの信号を制御する制御回路基板を設けるように構成した。これにより、光学読取装置のハウジングの全体厚を薄くすると共に、その下面形状が画像形成装置における排紙トレイの形状に整合して画像形成シートの取り出し等の操作性を改善したのである。
【図面の簡単な説明】
【図１】  本発明の実施の形態に係る光学読取装置及び画像形成装置を含む画像処理装置の正面図である。
【図２】  画像形成装置本体の断面図である。
【図３】  光学読取装置のプラテン部分の平面図である。
【図４】  光学読取装置の断面図である。
【図５】  第１の実施例で用いる光学読取装置の収容部の概念を示す図である。
【図６】  第２の実施例で用いる光学読取装置の収容部の概念を示す図である。
【図７】  第３の実施例で用いる光学読取装置の収容部の概念を示す図である。
【図８】  第４の実施例を示す図である。
【図９】  排紙トレイがハウジング外側に設けられた従来の画像形成装置の外観の第１の例を示す図である。
【図１０】  排紙トレイがキャビネット内側に設けられた従来の画像形成装置の外観の第２の例を示す図である。
【図１１】  図９に示した従来の光学読取装置のスキャナの横断面図を示す図である。
【符号の説明】
１        画像形成装置（作像部）
２        給紙部
３        光学読取装置
１５      形成装置本体ハウジング
３１      プラテン
４１      排紙トレイ
４１ａ    ヒンジ
５３      排紙ローラ
８３      給送ローラ
８４      分離ローラ
１００    画像処理装置
１０１    画像処理装置本体
１０２    自動原稿搬送装置
１０３    給紙テーブル
１２６    キャリッジ
１２９    光源
１５０    反射板
１２１    制御回路基板
１２３    ファン
１２４    読取装置本体ハウジング
１２５    第２の収容部
１２７    第１の収容部
１３４    脚壁
１５２    受光開口
【図１】
0003655187.tif 000002
【図２】
0003655187.tif 000003
【図３】
0003655187.tif 000004
【図４】
0003655187.tif 000005
【図５】
0003655187.tif 000006
【図６】
0003655187.tif 000007
【図７】
0003655187.tif 000008
【図８】
0003655187.tif 000009
【図９】
0003655187.tif 000010
【図１０】
0003655187.tif 000011
【図１１】
0003655187.tif 000012